(57)【要約】【課題】本発明は、利便性の高い再生が可能な放送番組を簡単に検索することができる、放送番組記録再生装置を提供することを目的とする。【解決手段】本発明に係る放送番組記録再生装置１は、メタデータ生成部１０８、管理情報生成部１０９、および表示部１１２を備えている。ここで、メタデータ生成部１０８は、放送番組の記録動作または再生動作を通じて、当該放送番組に関する装置内部生成メタデータを生成する。また、管理情報生成部１０９は、装置内部生成メタデータと放送番組とを関連付けた管理情報を生成する。さらに、表示部１１２は、管理情報を用いて、装置内部生成メタデータとの関連において、記録済み放送番組の一覧３００，４００，５００，６００を表示する。【選択図】図３
2011023781.tif 000002
【特許請求の範囲】
【請求項１】
放送番組に関する装置内部生成メタデータを生成するメタデータ生成部と、
前記装置内部生成メタデータと前記放送番組とを関連付けた管理情報を生成する管理情報生成部と、
前記放送番組を前記管理情報とともに記録する記録部と、
前記管理情報を用いて、前記装置内部生成メタデータとの関連において、前記記録部に記録された記録済み放送番組の一覧を、表示する表示部と、
前記記録済み放送番組から、任意の装置内部生成メタデータと関連付けられた番組を選択する番組選択部とを、備えている、
ことを特徴とする放送番組記録再生装置。
【請求項２】
前記メタデータ生成部は、
複数種類の前記装置内部生成メタデータを生成し、
前記表示部は、
前記各記録済み放送番組がどの種類の前記装置内部生成メタデータと関連付けられているかを表すメタデータ情報、を含む前記一覧を表示する、
ことを特徴とする請求項１に記載の放送番組記録再生装置。
【請求項３】
前記メタデータ生成部は、
複数種類の前記装置内部生成メタデータを生成し、
前記表示部は、
一の種類の前記装置内部生成メタデータが関連付けられている、前記各記録済み放送番組のみをまとめた前記一覧を表示する、
ことを特徴とする請求項１に記載の放送番組記録再生装置。
【請求項４】
前記メタデータ生成部は、
前記放送番組の前記記録動作の際に、前記放送番組に含まれる音声データおよび／または映像データの変化を示す特徴情報を用いて、前記装置内部生成メタデータを作成する、
ことを特徴とする請求項１乃至請求項３の何れかに記載の放送番組記録再生装置。
【請求項５】
前記一覧における所定の操作により、前記装置内部生成メタデータを用いた、前記記録済み放送番組の特殊再生を行う、
ことを特徴とする請求項１乃至請求項４の何れかに記載の放送番組記録再生装置。
【請求項６】
前記記録部は、
前記放送番組記録再生装置に固定的に内蔵された記録部も含み、
前記一覧の表示を指示する信号が前記放送番組記録再生装置に入力されたとき、前記固定的に内蔵された記録部に記録されている情報のみを基に、前記一覧の作成を行う、
ことを特徴とする請求項１乃至請求項５の何れかに記載の放送番組記録再生装置。
【請求項７】
前記表示部は、
遠隔操作部に配設された入力部に対する操作に応じて、請求項２に記載の前記一覧または請求項３に記載の前記一覧を、表示する、
ことを特徴とする放送番組記録再生装置。
【請求項８】
前記メタデータ生成部は、
複数種類の前記装置内部生成メタデータを生成し、
前記放送番組記録再生装置が入力した信号に応じて、前記表示部は、
前記各記録済み放送番組がどの種類の前記装置内部生成メタデータと関連付けられているかを表すメタデータ情報を含む前記一覧と、一の種類の前記装置内部生成メタデータと関連付けられている前記各記録済み放送番組のみをまとめた前記一覧とを、切り替えて表示することができる、
ことを特徴とする請求項１に記載の放送番組記録再生装置。
【発明の詳細な説明】
【技術分野】
【０００１】
この発明は、ブルーレイ・ディスク（ＢＤ）やＤＶＤ（Ｄｉｇｉｔａｌ  Ｖｅｒｓａｔｉｌｅ  Ｄｉｓｋ）などのデジタル・ディスク・レコーダやハードディスク（ＨＤＤ）レコーダーなど、放送番組を記録し、記録した番組と番組情報を管理し、再生する放送番組記録再生装置に関するものである。
【背景技術】
【０００２】
従来の放送番組記録再生装置に係る技術として、たとえば特許文献１が存在する。当該放送番組記録再生装置では、放送信号に重畳されたＥＰＧ（電子番組表、Ｅｌｅｃｔｒｉｃａｌ  Ｐｒｏｇｒａｍ  Ｇｕｉｄｅ）データから取得する番組情報と、記録時の録画日時、チャンネル、録画モードなどの録画情報とを、放送番組名と関連付けて管理している。また、記録媒体に記録されている放送番組を再生する場合には、当該放送番組記録再生装置は、番組名を表示した記録済み放送番組一覧表を表示部に表示させ、使用者に所望の記録済み放送番組を選択させる。これにより、放送番組記録再生装置は、当該所望の記録済み放送番組を再生することができる。また、記録済み放送番組の再生中に、番組名や番組情報をテキスト（文字）表示にて表示部に表示させる機能を、当該放送番組記録再生装置は有していた。
【先行技術文献】
【特許文献】
【０００３】
【特許文献１】特開２００２−１５０７５４号公報
【発明の概要】
【発明が解決しようとする課題】
【０００４】
デジタル・ディスク・レコーダでは、使用する記録媒体の大容量化と録画の手軽さとから、１つのメディアに複数の番組を録画する機会が多くなっている。特に、記録媒体にＨＤＤを用いた放送番組記録再生装置では、数百番組を保存できることも可能になっている。
【０００５】
このように多数の番組が記録媒体に保存されている状態において、１つの番組を選択するに際して、記録済み放送番組一覧を表示して、番組名と番組情報、録画情報を羅列させたとする。当該場合には、使用者が所望の記録済み放送番組を見つけるまでに、長時間を要してしまうという問題点があった。
【０００６】
そこで、表示される放送番組数を少なくして、所望の記録済み放送番組を検索しやすくするために、ＥＰＧデータから取得した番組情報に含まれる情報を利用する方法が採用される。例えば、番組ジャンル情報を使用し、番組ジャンル情報毎に一覧表を用意する。これにより、１つの一覧表に表示される放送番組数を少なく抑えることもできる。
【０００７】
ところが、放送局から送信されてくる番組情報は、番組名称、番組内容説明や番組ジャンル情報などの一次的な内容に限定されている。つまり、記録済み放送番組の一覧表示に際して、たとえば録画する段階等で放送番組記録再生装置内部において二次的に生成された情報（以降、当該情報を装置内部生成メタデータと称する）を反映することができない。
【０００８】
当該装置内部生成メタデータが利便性の高い再生の際に使用されるものである場合には、装置内部生成メタデータを使用した利便性の高い再生が可能な放送番組と、当該再生ができない放送番組とが混在して、一覧表に表示されてしまうという欠点がある。よって、使用者が番組一覧表の中で、放送番組毎に装置内部生成メタデータの有無を確認する必要があった。つまり、利便性の高い再生が可能な放送番組を選択するまでに、手間隙がかかり結果として長時間要するという問題があった。
【０００９】
また、ＤＶＤなどの光ディスクやＨＤＤ等の磁気ディスクなど、複数の記録媒体を扱うことができる放送番組記録再生装置では、使用者が選択したい所望の放送番組がどの記録媒体に記録されているかを、使用者があらかじめ認識しておく必要がある。さらに、放送番組記録再生装置が現在どの記録媒体に記録された放送番組を選択できる状態にあるかを、使用者が認識しておく必要がある。したがって、放送番組の検索操作がより一層煩雑なものになっていた。
【００１０】
そこで、本発明は、利便性の高い再生が可能な放送番組を簡単に検索することができる、放送番組記録再生装置を提供することを目的とする。さらに、利便性の高い再生が可能な放送番組を検索する際に、使用者の手間を削減することができる放送番組記録再生装置を提供することを目的とする。
【課題を解決するための手段】
【００１１】
上記の目的を達成するために、本発明に係る請求項１に記載の放送番組記録再生装置は、放送番組に関する装置内部生成メタデータを生成するメタデータ生成部と、前記装置内部生成メタデータと前記放送番組とを関連付けた管理情報を生成する管理情報生成部と、前記放送番組を前記管理情報とともに記録する記録部と、前記管理情報を用いて、前記装置内部生成メタデータとの関連において、前記記憶部に記憶された記録済み放送番組の一覧を、表示する表示部と、前記記録済み放送番組から、任意の装置内部生成メタデータと関連付けられた番組を選択する番組選択部とを、備えている。
【発明の効果】
【００１２】
本発明の請求項１に記載の放送番組記録再生装置は、放送番組に関する装置内部生成メタデータを生成するメタデータ生成部と、前記装置内部生成メタデータと前記放送番組とを関連付けた管理情報を生成する管理情報生成部と、前記放送番組を前記管理情報とともに記録する記録部と、前記管理情報を用いて、前記装置内部生成メタデータとの関連において、前記記憶部に記憶された記録済み放送番組の一覧を、表示する表示部と、前記記録済み放送番組から、任意の装置内部生成メタデータと関連付けられた番組を選択する番組選択部とを、備えている。
【００１３】
したがって、利便性の高い再生が可能な記録済み放送番組を簡単に検索することができる、放送番組記録再生装置を提供することができる。
【図面の簡単な説明】
【００１４】
【図１】本発明に係る放送番組記録再生装置の構成を示すブロック図である。
【図２】本発明に係る放送番組記録再生装置を遠隔から操作する際に用いられる、リモートコントローラの構成を示す図である。
【図３】装置内部生成メタデータの種類・有無に関するメタデータ情報を有する、記録済み放送番組の一覧を示す図である。
【図４】本編再生用メタデータが関連付けられている記録済み放送番組の一覧を示す図である。
【図５】スポーツハイライト再生用メタデータが関連付けられている記録済み放送番組の一覧を示す図である。
【図６】音楽シーン再生用メタデータが関連付けられている記録済み放送番組の一覧を示す図である。
【発明を実施するための形態】
【００１５】
以下、この発明をその実施の形態を示す図面に基づいて具体的に説明する。
【００１６】
＜実施の形態＞
図１には、本実施の形態に係る放送番組記録再生装置１の構成を示すブロック図を図示する。
【００１７】
＜構成＞
図１に示すように、放送番組記録再生装置１は、アンテナ１００、チューナー１０１、パーシャルストリーム生成部１０２、ストリーム制御部１０３、記録部１０４、ストリームパーサー１０５、ＡＶデコーダ１０６、番組データ検出部１０７、メタデータ生成部１０８、管理情報生成部１０９、グラフィックス生成部１１０、映像音声出力部１１１、表示部１１２、スピーカ１１３、および番組選択部１１４を、備えている。
【００１８】
アンテナ１００は、デジタル放送などの放送波を受信する。チューナー１０１は、アンテナ１００で受信した放送波から、任意の放送データストリームを抽出する。パーシャルストリーム生成部１０２は、チューナー１０１で抽出された放送データストリームから、必要な番組データのみを含んだパーシャルストリームを抽出する。記録部１０４は、ハードディスクドライブ（ＨＤＤ）等の、放送番組記録再生装置１内に固定内蔵される大容量記録媒体である。当該記録部１０４には、放送番組（より具体的には、上記パーシャルストリーム）が記録される。
【００１９】
なお、当該放送番組記録生成装置１には、図示は省略しているが、ブルーレイ・ディスク（ＢＤ）やＤＶＤ（Ｄｉｇｉｔａｌ  Ｖｅｒｓａｔｉｌｅ  Ｄｉｓｋ）などのデジタルディスクの取り入れ・取り出し可能なディスク取入出部も備えている。
【００２０】
ストリーム制御部１０３は、上記記録部１０４へのパーシャルストリームの記録、および上記記録部１０４からのパーシャルストリームの読み出しを行う。ストリームパーサー１０５は、パーシャルストリームから映像データ、音声データ、および番組情報を含むテーブルデータ等を分離する。ＡＶデコーダ１０６は、ストリームパーサー１０５で分離した映像データおよび音声データデータから、映像音声信号にデコード（復号）する。番組データ検出部１０７は、ストリームパーサー１０５で分離したテーブルデータに含まれている、番組名等の番組情報を抽出する。
【００２１】
メタデータ生成部１０８は、放送番組の記録動作または再生動作を通じて、当該放送番組に関する装置内部生成メタデータを生成する。たとえば、メタデータ生成部１０８は、放送番組の記録動作の際に、放送番組に含まれる音声データおよび／または映像データの変化を示す特徴情報を用いて、装置内部生成メタデータを作成する。具体的に、メタデータ生成部１０８は、ＡＶデコーダ１０６が映像音声信号にデコードする際に生成される映像音声の特徴情報と、番組データ検出部１０７で検出された番組情報とを関連付けてメタデータを生成する。
【００２２】
上記の通り、装置内部生成メタデータとは、ＥＰＧなどのように放送番組と共に送信される一次的な情報でなく、記録動作や再生動作において放送番組記録再生装置１内部において二次的に生成される情報である。録音動作時に生成される装置内部生成メタデータとして、たとえば、本編再生用メタデータ、スポーツハイライト再生用メタデータ、または音楽シーン再生用メタデータなどがある。
【００２３】
たとえば、コマーシャルと放送番組本編とでは映像音声データの特徴が異なる。当該異なりを利用して、上記特徴情報を用いて、コマーシャル部分と本編部分とを分離する。そして、コマーシャル部分の時間情報または本編部分の時間情報を含むデータを、上記本編再生用メタデータとして作成する。なお、放送番組記録再生装置１において後述する本編再生動作を行う場合には、当該本編再生用メタデータ（上記時間情報）を用いて、選択された放送番組において本編部分のみを再生する。
【００２４】
スポーツハイライト再生用メタデータや音楽シーン再生用メタデータなども、上記特徴情報を利用して作成される。具体的に、放送番組記録再生装置１は、スポーツハイライトシーン（または音楽シーン）と他のシーンとの間における映像データや音声データの変化を利用して、スポーツハイライトシーン（または音楽シーン）と他のシーンとを区別する。そして、放送番組記録再生装置１は、スポーツハイライトシーンの時間情報（または音楽シーンの時間情報）、または他のシーンの時間情報を抽出し、当該時間情報を含むスポーツハイライト再生用メタデータや音楽シーン再生用メタデータを作成する。
【００２５】
管理情報生成部１０９は、記録部１０４に格納されている放送番組の再生の際に必要となる管理情報（たとえば、記録部１０４における放送番組の格納アドレスなどの情報）を生成する。さらに、管理情報生成部１０９は、放送番組と当該放送番組関して装置１内部で生成された装置内部生成メタデータとを関連付けた情報を含むように、管理情報を生成する。
【００２６】
グラフィックス生成部１１０は、ＡＶデコーダ１０６でデコードした映像音声信号に、グラフィックスを重畳する。映像音声出力部１１１は、表示部１１２に映像やテキストなどの画像を表示させ、またスピーカ１１３から音声を出力させる。
【００２７】
＜動作＞
次に、本実施の形態に係る放送番組記録再生装置１の動作について説明する。
【００２８】
衛星放送や地上波デジタル放送では、アンテナ１００を介してデジタル化された放送波をチューナー１０１が受信する。当該チューナー１０１は、任意の放送データストリームを抽出する。さらに、パーシャルストリーム生成部１０２は、チューナー１０１で抽出した放送データストリームから、選局された放送番組に関連するデータであるパーシャルストリームだけを抽出する。そして、パーシャルストリーム生成部１０２は、当該抽出したパーシャルストリームをストリーム制御部１０３に出力する。
【００２９】
ここで、現在放送されている放送番組を視聴する場合には、ストリーム制御部１０３により、パーシャルストリームがストリームパーサー１０５に出力される。そして、ストリームパーサー１０５は、パーシャルストリームを映像データ・音声データ・テーブルデータに分離し、ＡＶデコーダ１０６に映像データおよび音声データを、番組データ検出部１０７にテーブルデータを振り分ける。
【００３０】
ＡＶデコーダ１０６では、映像データと音声データとがデコードされ、放送番組の映像音声信号が復元される。また、番組データ検出部１０７では、テーブルデータから番組名などの一次的な番組情報を検出する。なお、当該検出された番組情報は、グラフィックス生成部１１０などでテキスト（文字）情報等に変換され、映像音声信号に重畳される。グラフィックスが重畳された映像音声信号は、最終的に映像音声出力部１１１により、表示部１１２やスピーカ１１３において出力される。
【００３１】
他方、現在放送されている放送番組を記録部１０４に記録（録画）する場合には、上記に加えて、ストリーム制御部１０３により、パーシャルストリームが記録部１０４に記録される。また同時に、管理情報生成部１０９により管理情報が生成され、当該管理情報が記録される放送番組と関連付けて記録部１０４に記録される。
【００３２】
ここで、管理情報には、録画した放送番組を再生する際に必要となる情報で、録画された放送番組と当該放送番組が格納されている記録部１０４のアドレス情報とが関連付けられた情報が、含まれている。
【００３３】
放送番組記録時にはさらに、ＡＶデコーダ１０６が映像音声信号にデコードする際に生成される映像音声の特徴情報を用いて、メタデータ生成部１０８は、少なくとも１種類以上の装置内部生成メタデータを生成する。
【００３４】
ここで、当該装置内部生成メタデータは、番組データ検出部１０７で検出された番組情報と関連付けられ、管理情報生成部１０９により、管理情報の一部として合成される。当該合成後の管理情報は、上記の通り記録部１０４に格納され、録画した放送番組を再生する際に使用される。
【００３５】
以上から分かるように、管理情報は、所定の記録済み放送番組が格納されている記録部１０４のアドレス情報、当該所定の記録済み放送番組の放送名などの一次的な情報、および当該所定の記録済み放送番組記録動作の際に生成された各種の装置内部生成メタデータが、当該所定の記録済み放送番組と関係付けられた情報である。
【００３６】
他方、記録部１０４に記録された所定の放送番組を再生する場合には、ストリーム制御部１０３は、管理情報を用いて、記録部１０４から所定の放送番組のパーシャルストリームを読み出し、ストリームパーサー１０５に出力する。ストリームパーサー１０５は、パーシャルストリームを映像データ・音声データ・テーブルデータに分離し、ＡＶデコーダ１０６に映像データおよび音声データを、番組データ検出部１０７にテーブルデータを振り分ける。
【００３７】
ＡＶデコーダ１０６では、映像データと音声データとがデコードされ、放送番組の映像音声信号が復元される。また、番組データ検出部１０７では、テーブルデータから番組名などの一次的な番組情報を検出する。なお、当該検出された番組情報は、グラフィックス生成部１１０などでテキスト（文字）情報等に変換され、映像音声信号に重畳される。グラフィックスが重畳された映像音声信号は、最終的に映像音声出力部１１１により、表示部１１２やスピーカ１１３において出力される。
【００３８】
ところで、本実施の形態に係る放送番組記録再生装置１において録画された放送番組を再生する場合には、通常の再生動作に加えて、利便性の高い特殊再生を実行することができる。
【００３９】
特殊再生とは、早送り再生や早戻し再生だけでなく、装置内部生成メタデータを使用した利便性の高い再生手法を意味している。本実施の形態における特殊再生とは、放送番組中における使用者が必要としている部分（シーン）の間欠再生であり、放送番組の再生に必要な時間を節約できるようにしたものである。本明細書内においては、当該特殊再生として、たとえば「本編再生」、「スポーツハイライト再生」および「音楽シーン再生」などがある。
【００４０】
「本編再生」は、本編再生用メタデータを用いた特殊再生であり、放送番組本編（コマーシャル部分以外の部分）のみを間欠再生する機能である。「スポーツハイライト再生」は、スポーツハイライト再生用メタデータを用いた特殊再生であり、スポーツ番組における競技中に盛り上がったシーンのみを間欠再生する機能である。「音楽シーン再生」は、音楽シーン再生用メタデータを用いた特殊再生であり、音楽番組における音楽シーン部分のみを間欠再生する機能である。
【００４１】
＜一覧表示＞
本実施の形態に係る放送番組記録再生装置１では、表示部１１２は、管理情報を用いて、装置内部生成メタデータとの関連において、記憶部１０４に記憶された記録済み放送番組の一覧を、表示することができる。つまり、表示部１１２は、装置内部生成メタデータと関連付けられている記録済み放送番組のみから成る一覧を、外部から視認できるように表示することができる。以下、当該一覧表示のための構成および動作について説明する。
【００４２】
図２は、本実施の形態に係る放送番組記録再生装置１に対する遠隔操作を行うことができる、リモートコントローラ２００の構成を示す図である。
【００４３】
図２に示すように、リモートコントローラ２００には、録画リスト表示ボタン２０１、本編再生ボタン２０２、スポーツハイライト再生ボタン２０３、音楽シーン再生ボタン２０４、上下左右ボタン２０５、複数の再生操作ボタン２０６、決定ボタン２０７および複数の操作ボタン２０８が、配設されている。
【００４４】
次に、一覧表示の動作について説明する。
【００４５】
上記のように、管理情報には、各記録済み放送番組毎に、タイトル情報、記録日時情報、記録位置アドレスおよび装置内部生成メタデータが、各記録済み放送番組と関連付けられて管理されている。所定の操作が施されると、放送番組記録再生装置１は、当該管理情報を用いて、装置内部生成メタデータと関連付けられている記録済み放送番組から成る一覧を表示する。
【００４６】
本実施の形態では、具体的に、各記録済み放送番組がどの種類の装置内部生成メタデータと関連付けられているかを表すメタデータ情報を含む記録済み放送番組の一覧、または、所定の種類の装置内部生成メタデータと関連付けられている各記録済み放送番組のみをまとめた一覧を、番組選択部１１４により選択し、当該選択したものを表示部１１２は表示する。
【００４７】
＜装置内部生成メタデータの種類・有無に関する、放送番組の一覧表示＞
たとえば、リモートコントローラ２００の録画リスト表示ボタン２０１が押下される。すると、表示部１１２には、記録済み放送番組の一覧３００が表示される。さらに、当該一覧３００には、各記録済み放送番組がどの種類の装置内部生成メタデータと関連付けられているかを表すメタデータ情報が含まれている。換言すれば、当該メタデータ情報は、各記録済み放送番組に関連付けられている装置内部生成メタデータの種類と有無とを示す情報である。
【００４８】
図３は、録画リスト表示ボタン２０１が押下されたときに表示部１１２に表示される、一覧３００を例示する図である。当該一覧３００は、グラフィックス生成部１１０により生成され、映像音声信号に重畳されて、映像音声出力部１１１を介して表示部１１２に対して出力される。
【００４９】
図３では、記録部１０４に記憶されている記録済み放送番組のタイトル名の一覧が表示される。また、一覧３００には、各記録済み放送番組が記録された日が併せて表示される。図３に示すように、当該一覧３００には、現在選択中の記録済み放送番組を示すカーソル３０１が表示される。なお、現在選択中の記録済み放送番組に関する放送情報（チャンネル情報、記録時間情報など）が、一覧３００の上部に表示される。
【００５０】
また、一覧３００には、本編再生メタデータ表示３０２、スポーツハイライト再生メタデータ表示３０３および音楽シーン再生メタデータ表示３０４が表示される。さらに、当該一覧３００には、記録済み放送番組のタイトル名と記録日との間に、各表示３０２〜３０４に対応して、複数のチェックボックスが表示される。当該チェックボックスにおける「レ」印の表示・非表示により、一覧３００に表示される各記録済み放送番組において、どの種類の装置内部生成メタデータが関係付けられており、どの種類の装置内部生成メタデータが関係付けられていないかを、使用者は表示部１１２を通じて視認することができる。
【００５１】
上記一覧３００の例では、本編再生メタデータ表示３０２、スポーツハイライト再生メタデータ表示３０３、音楽シーン再生メタデータ表示３０４および複数のチェックボックスが、上記「メタデータ情報」であると把握できる。上記の通り、一覧３００において当該メタデータ情報を含めて表示されることにより、各記録済み放送番組と関連付けられている各種装置内部生成メタデータの有無を、使用者が確認することができる。
【００５２】
たとえば、二つの記録済み放送番組（「プロ野球  大阪×東京」、「カウントダウンポップス」）を例に、説明する。管理情報には、記録済み放送番組「プロ野球  大阪×東京」に関連付けて「本編再生用メタデータ」および「スポーツハイライト再生用メタデータ」が関連付けて管理されている。また、管理情報には、記録済み放送番組「カウントダウンポップス」に関連付けて「音楽シーン再生用メタデータ」が関連付けて管理されている。
【００５３】
したがって、録画リスト表示ボタン２０１が押下されると、当該管理情報を用いることにより、表示部１１２には、次に示す一覧３００が表示される。つまり、記録済み放送番組「プロ野球  大阪×東京」の欄において、本編再生メタデータ表示３０２およびスポーツハイライト再生メタデータ表示３０３に対応する箇所に「レ」印が表示され、また記録済み放送番組「カウントダウンポップス」の欄において、音楽シーン再生メタデータ表示３０４に対応する箇所に「レ」印が表示された、一覧３００が表示部１１２において表示される。
【００５４】
当該表示により、記録済み放送番組「プロ野球  大阪×東京」は、本編再生用のメタデータおよびスポーツハイライト再生用のメタデータを有すること、および、音楽シーン再生用のメタデータを有さないことが、視認できる。さらに、記録済み放送番組「カウントダウンポップス」は、本編再生用のメタデータおよびスポーツハイライト再生用のメタデータを有さないこと、および音楽シーン再生用のメタデータを有することが、視認できる。
【００５５】
さて、リモートコントローラ２００の上下左右ボタン２０５を操作することにより、一覧３００におけるカーソル３０１を移動させ、使用者は、任意の記録済み放送番組を選択し、決定ボタン２０７を押下したとする。すると、図３に示すように、プルダウンメニュー３０５が表示部１１２に表示される。
【００５６】
ここで、任意の記録済み放送番組が選択された後、使用者が、リモートコントローラ２００の再生操作ボタン２０６の「再生ボタン」を押下したとする。もしくは、プルダウンメニュー３０５から「通常再生」を選択した状態で、決定ボタン２０７を押下したとする。この場合には、放送番組記録再生装置１において、当該任意の記録済み放送番組の通常再生が開始される。当該「通常再生」では、記録済み放送番組の全編に渡り再生が実行される。
【００５７】
上記と異なり、一覧３００に表示される各記録済み放送番組に対して、当該記録済み放送番組に関連付けられている各種装置内部生成メタデータを用いた特殊再生を、放送番組記録再生装置１が行うこともできる。上記のように、図３の下段図の様にプルダウンメニュー３０５が表示部１１２に表示される。そこで、使用者は、リモートコントローラ２００を操作することにより、通常再生の他に、装置内部生成メタデータを使用した特殊再生を選択することができる。
【００５８】
なお、図３に示す例では、記録済み放送番組「プロ野球  大阪×東京」には、本編再生用のメタデータおよびスポーツハイライト再生用のメタデータが関連付けられている。したがって、記録済み放送番組「プロ野球  大阪×東京」が選択されることにより表示されるプルダウンメニュー３０５において、「本編再生」および「スポーツハイライト再生」が選択可能状態として表示される。他方、記録済み放送番組「プロ野球  大阪×東京」には、音楽シーン再生用のメタデータが関連付けられていない。したがって、記録済み放送番組「プロ野球  大阪×東京」が選択されることにより表示されるプルダウンメニュー３０５において、「音楽シーン再生」は選択不可能状態として表示される。
【００５９】
当該プルダウンメニュー３０５表示状態において、使用者がリモートコントローラ２００の上下左右ボタン２０５を操作することにより、所望の特殊再生項目を選択する。これにより、選択された記録済み放送番組の選択された特殊再生処理が、放送番組記録再生装置１において実施される。たとえば、所定の記録済み放送番組が選択された後、「本編再生」が選択されたとする。この場合には、当該所定の記録済み放送番組に関連付けられている装置内部生成メタデータ（具体的に、本編再生用のメタデータ）を用いて、当該所定の記録済み放送番組の本編（コマーシャル以外の部分）のみを再生する動作が、放送番組記録再生装置１において実施される。
【００６０】
＜本編再生用メタデータが関連付けられている放送番組の一覧表示＞
さて、リモートコントローラ２００の録画リスト表示ボタン２０１が押下される代わりに、リモートコントローラ２００の本編再生ボタン２０２が押下されたとする。
【００６１】
すると、表示部１１２は、一覧３００の場合とは異なり、本編再生用メタデータが関連付けられている各記録済み放送番組のみをまとめた一覧４００が表示される。つまり、本編再生ボタン２０２の押圧操作に対応した特定の種類の装置内部生成メタデータ（ここでは、本編再生用メタデータ）と関係付けられている記録済み放送番組のみから成る一覧４００が、表示部１１２に表示される。図４は、本編再生ボタン２０２が押下されたときに表示部１１２に表示される、一覧４００を例示する図である。
【００６２】
図４では、記録部１０４に記憶されている記録済み放送番組のうち、本編再生用メタデータを有する記録済み放送番組のタイトル名の一覧が表示される。また、一覧４００には、各記録済み放送番組が記録された日が併せて表示される。図４に示すように、当該一覧４００には、現在選択中の記録済み放送番組を示すカーソル４０１が表示される。なお、現在選択中の記録済み放送番組に関する放送情報（チャンネル情報、記録時間情報など）が、一覧４００の上部に表示される。
【００６３】
当該一覧４００が表示部１１２に表示されることにより、当該一覧４００に列記される各記録済み放送番組が本編再生用メタデータを有することを、使用者が確認することができる。
【００６４】
本編再生ボタン２０２が押下されると、放送番組記録再生装置１は、番組選択部１１４により、記録部１０４に格納されている管理情報を参照し、本編再生用メタデータが関連付けられている記録済み放送番組を抽出する。そして、放送番組記録再生装置１は、抽出した記録済み放送番組のタイトル情報などを列記した一覧４００を作成し、当該一覧４００を表示部１１２に表示する。当該一覧４００は、グラフィックス生成部１１０により生成され、映像音声信号に重畳されて、映像音声出力部１１１を介して表示部１１２に対して出力される。
【００６５】
さて、リモートコントローラ２００の上下左右ボタン２０５を操作することにより、一覧４００におけるカーソル４０１を移動させ、使用者は、任意の記録済み放送番組を選択し、たとえば決定ボタン２０７（または再生操作ボタン２０６の「再生ボタン」）を押下したとする。すると、放送番組記録再生装置１は、選択された記録済み放送番組に関連付けられている本編再生用メタデータを用いて、当該選択された記録済み放送番組の本編のみを間欠再生する本編再生（特殊再生）を開始する。
【００６６】
＜スポーツハイライト再生用メタデータが関連付けられている放送番組の一覧表示＞
また、リモートコントローラ２００の録画リスト表示ボタン２０１が押下される代わりに、リモートコントローラ２００のスポーツハイライト再生ボタン２０３が押下されたとする。
【００６７】
すると、表示部１１２は、一覧３００の場合とは異なり、スポーツハイライト再生用メタデータが関連付けられている各記録済み放送番組のみをまとめた一覧５００が表示される。つまり、スポーツハイライト再生ボタン２０３の押圧操作に対応した特定の種類の装置内部生成メタデータ（ここでは、スポーツハイライト再生用メタデータ）と関係付けられている記録済み放送番組のみから成る一覧５００が、表示部１１２に表示される。図５は、スポーツハイライト再生ボタン２０３が押下されたときに表示部１１２に表示される、一覧５００を例示する図である。
【００６８】
図５では、記録部１０４に記憶されている記録済み放送番組のうち、スポーツハイライト再生用メタデータを有する記録済み放送番組のタイトル名の一覧が表示される。また、一覧５００には、各記録済み放送番組が記録された日が併せて表示される。図５に示すように、当該一覧５００には、現在選択中の記録済み放送番組を示すカーソル５０１が表示される。なお、現在選択中の記録済み放送番組に関する放送情報（チャンネル情報、記録時間情報など）が、一覧５００の上部に表示される。
【００６９】
当該一覧５００が表示部１１２に表示されることにより、当該一覧５００に列記される各記録済み放送番組がスポーツハイライト再生用メタデータを有することを、使用者が確認することができる。
【００７０】
スポーツハイライト再生ボタン２０３が押下されると、放送番組記録再生装置１は、番組選択部１１４により、記録部１０４に格納されている管理情報を参照し、スポーツハイライト再生用メタデータが関連付けられている記録済み放送番組を抽出する。そして、放送番組記録再生装置１は、抽出した記録済み放送番組のタイトル情報などを列記した一覧５００を作成し、当該一覧５００を表示部１１２に表示する。当該一覧５００は、グラフィックス生成部１１０により生成され、映像音声信号に重畳されて、映像音声出力部１１１を介して表示部１１２に対して出力される。
【００７１】
さて、リモートコントローラ２００の上下左右ボタン２０５を操作することにより、一覧５００におけるカーソル５０１を移動させ、使用者は、任意の記録済み放送番組を選択し、たとえば決定ボタン２０７（または再生操作ボタン２０６の「再生ボタン」）を押下したとする。すると、放送番組記録再生装置１は、選択された記録済み放送番組に関連付けられているスポーツハイライトシーン再生用メタデータを用いて、当該選択された記録済み放送番組の中の競技重要シーンのみを間欠再生するスポーツハイライト再生（特殊再生）を開始する。
【００７２】
＜音楽シーン再生用メタデータが関連付けられている放送番組の一覧表示＞
また、リモートコントローラ２００の録画リスト表示ボタン２０１が押下される代わりに、リモートコントローラ２００の音楽シーン再生ボタン２０４が押下されたとする。
【００７３】
すると、表示部１１２は、一覧３００の場合とは異なり、音楽シーン再生用メタデータが関連付けられている各記録済み放送番組のみをまとめた一覧６００が表示される。つまり、音楽シーン再生ボタン２０４の押圧操作に対応した特定の種類の装置内部生成メタデータ（ここでは、音楽シーン再生用メタデータ）と関係付けられている記録済み放送番組のみから成る一覧６００が、表示部１１２に表示される。図６は、音楽シーン再生ボタン２０４が押下されたときに表示部１１２に表示される、一覧６００を例示する図である。
【００７４】
図６では、記録部１０４に記憶されている記録済み放送番組のうち、音楽シーン再生用メタデータを有する記録済み放送番組のタイトル名の一覧が表示される。また、一覧６００には、各記録済み放送番組が記録された日が併せて表示される。図６に示すように、当該一覧６００には、現在選択中の記録済み放送番組を示すカーソル６０１が表示される。なお、現在選択中の記録済み放送番組に関する放送情報（チャンネル情報、記録時間情報など）が、一覧６００の上部に表示される。
【００７５】
当該一覧６００が表示部１１２に表示されることにより、当該一覧６００に列記される各記録済み放送番組が音楽シーン再生用メタデータを有することを、使用者が確認することができる。
【００７６】
音楽シーン再生ボタン２０４が押下されると、放送番組記録再生装置１は、番組選択部１１４により、記録部１０４に格納されている管理情報を参照し、音楽シーン再生用メタデータが関連付けられている記録済み放送番組を抽出する。そして、放送番組記録再生装置１は、抽出した記録済み放送番組のタイトル情報などを列記した一覧６００を作成し、当該一覧６００を表示部１１２に表示する。当該一覧６００は、グラフィックス生成部１１０により生成され、映像音声信号に重畳されて、映像音声出力部１１１を介して表示部１１２に対して出力される。
【００７７】
さて、リモートコントローラ２００の上下左右ボタン２０５を操作することにより、一覧６００におけるカーソル６０１を移動させ、使用者は、任意の記録済み放送番組を選択し、たとえば決定ボタン２０７（または再生操作ボタン２０６の「再生ボタン」）を押下したとする。すると、放送番組記録再生装置１は、選択された記録済み放送番組に関連付けられている音楽シーン再生用メタデータを用いて、当該選択された記録済み放送番組の中の演奏シーンのみを間欠再生する音楽シーン再生（特殊再生）を開始する。
【００７８】
以上のように、本実施の形態に係る放送番組記録再生装置１では、管理情報を用いて、装置内部生成メタデータと関連付けられている記録済み放送番組のみから成る一覧を、当該装置内部生成メタデータとの関連付けが外部から視認できるように、表示部１１２において表示する。
【００７９】
したがって、たとえば利便性の高い再生が可能な放送番組を簡単に検索することができる、放送番組記録再生装置１を提供することができる。
【００８０】
また、本実施の形態に係る放送番組記録再生装置１では、表示部１１２は、各記録済み放送番組に関連付けられている装置内部生成メタデータの種類と有無とを示すメタデータ情報を含む、記録済み放送番組の一覧３００を表示する。
【００８１】
したがって、使用者は、一覧３００に列記される各記録済み放送番組が、どの種類の装置内部生成メタデータを有するのかが、表示部１１２を通じて一目で認識することができる。つまり、記録済み放送番組毎に装置内部生成メタデータの種類や有無を、別途確認する必要がない。このため、装置内部生成メタデータを使用した利便性の高い再生方法が利用しやすくなり、放送番組記録再生装置１の操作性を向上させることができる。
【００８２】
また、本実施の形態に係る放送番組記録再生装置１では、表示部１１２は、番組選択部１１４により選択された、所定の種類の装置内部生成メタデータが関連付けられている、各記録済み放送番組のみをまとめた一覧４００，５００，６００を表示する。
【００８３】
このように、図３の一覧表示で無く、特定の装置内部生成メタデータと関連付けられている記録済み放送番組のみを一覧表示することにより、所望の記録済み放送番組の確認がより容易となる。
【００８４】
なお、図３に示した一覧３００を経由して所望の記録済み放送番組の特殊再生を行う場合には、さらにプルダウンメニュー３０５を経由する必要がある。しかしながら、特定の装置内部生成メタデータと関連付けられている記録済み放送番組のみを一覧表示（一覧４００，５００，６００を表示する）することにより、特殊再生動作までの手順をより少なくすることができ、記録済み放送番組毎に各種装置内部生成メタデータの有無を確認する必要もない。
【００８５】
また、本実施の形態に係る放送番組記録再生装置１では、メタデータ生成部１０８は、放送番組の記録動作の際に、当該放送番組に含まれる音声データおよび／または映像データの変化を示す特徴情報を用いて、装置内部生成メタデータを作成する。
【００８６】
したがって、当該記録された放送番組の特殊再生を可能とする各種の装置内部生成メタデータを、当該放送番組含まれる特徴情報を用いて、簡単に放送番組記録再生装置１内において生成することができる。
【００８７】
また、本実施の形態に係る放送番組記録再生装置１では、装置内部生成メタデータを用いた、記録済み放送番組の特殊再生を行う。
【００８８】
したがって、記録済み放送番組の全編を再生する通常再生でなく、使用者の嗜好に合わせた特殊再生を実現することができる。
【００８９】
また、本実施の形態に係る放送番組記録再生装置１では、表示部１１２は、リモートコントローラ（遠隔操作部）２００に配設された入力部２０１〜２０４に対する操作に応じて、図３〜６の何れかの一覧３００，４００，５００，６００を、表示する。
【００９０】
したがって、遠隔からの簡易な操作により、目的とする一覧３００，４００，５００，６００を表示部１１２に表示させることができる。
【００９１】
ところで、実際の放送番組記録再生装置１は、上記の通り、記録する記録媒体としてＨＤＤなどの固定内蔵記録媒体である記憶部１０４だけでなく、ＤＶＤ等のリムーバブルな光ディスクメディアにおいても、放送番組や上記管理情報を記憶することが可能である。当該構成の場合には、使用者は、どの記録媒体に対して放送番組を記録するのか、また、どの記録媒体に記録されている放送番組を再生するのか、記録・再生動作前にあらかじめ選択・決定しておかなければならない。
【００９２】
一方で、装置内部生成メタデータと関連付けた記録済み放送番組は、データ保存先が装置に固定的に内蔵された（つまりリムーバブルでない）内蔵記録媒体である記録部１０４であることが一般的である。これは、装置内部生成メタデータの生成方法や仕様が、各メーカー独自の方式を採用している場合がほとんどであるため、光ディスク等の他社互換が求められる記録媒体では装置内部生成メタデータの保存が難しいことが理由として挙げられる。
【００９３】
そこで、一覧３００，４００，５００，６００の表示を指示する信号が放送番組記録再生装置１に入力されたとき（換言すれば、各ボタン２０１〜２０４の何れかが押圧されたとき）、本実施の形態に係る放送番組記録再生装置１では、リムーバブルな記録媒体でなく、固定内蔵記録媒体である記録部１０４を自動的に指定する。そして、当該放送番組記録再生装置１は、当該記録部１０４のみに格納されている情報を基に、一覧３００，４００，５００，６００の作成を行う。
【００９４】
このように、放送番組記録再生装置１が、一覧表示の際における記録媒体の自動選択機能を備えることにより、たとえば利便性の高い再生が可能な放送番組を検索する際に、使用者による記録媒体選択の手間を削減することができる。
【００９５】
また、本実施の形態に係る放送番組記録再生装置１は、所定の操作に応じて、一覧３００と一覧４００（または、一覧５００，６００）とを相互切り替え可能に表示部１１２に表示するように構成しても良い。
【００９６】
たとえば、一覧表示のための操作が放送番組記録再生装置１に施されると、表示部１１２には、一覧３００のシート、一覧４００のシート、一覧５００のシートおよび一覧６００のシートが表示される。たとえば、一覧３００のシートが表示部１１２に表示されている状態において、表示部１１２の下段に小さく、一覧３００用のタブ、一覧４００用のタブ、一覧５００用のタブおよび一覧６００用のタブが表示されている。
【００９７】
上記何れかのタブを選択することにより、選択されたタブに対応する一覧が表示部１１２に表示される。たとえば、表示部１１２に一覧３００が表示されている状態において、リモートコントローラ２００に配設されている上下左右ボタン２０５等を押下し、所望のタブを選択する。
【００９８】
これにより、当該選択操作に応じて、一覧３００から一覧４００に遷移、または、当該一覧３００から一覧５００に遷移、または、当該一覧３００から一覧６００に遷移させることもできる。なお、表示部１１２における表示が、一覧３００から他の一覧４００，５００，６００に遷移したとき、表示部１１２には、遷移後の一覧および各一覧への切り換えが可能な一覧用のタブが表示される。
【００９９】
当該構成により、たとえば再生操作に際して、所定の一覧から他の一覧への遷移が簡単に行えることができる。したがって、放送番組記録再生装置１の利便性をさらに向上させることができる。
【０１００】
なお、上記では、録画時に、放送番組記録再生装置１内部で特殊再生用メタデータを生成する場合について言及した。しかしながら、内部生成メタデータは、特殊再生のためのデータに限らず他の用途・目的で使用されるものであっても良い。
【０１０１】
また、一旦録画が完了した後に、放送番組記録再生装置１内部で装置内部生成メタデータを生成しても構わない。たとえば、所定の記録済み放送番組再生動作を通じて、放送番組記録再生装置１内部で、当該記録済み放送番組の再生回数に応じた装置内部生成メタデータを生成し、当該所定の記録済み放送番組に再生回数に応じた装置内部生成メタデータを関連付けて管理しても良い。当該再生回数に応じた装置内部生成メタデータを生成・管理することにより、たとえば、放送番組記録再生装置１は、頻繁に（たとえば、所定の回数以上）再生している記録済み放送番組だけを集めた一覧を作成し、当該一覧を表示部１１２に表示するように構成できる。
【０１０２】
また、各放送番組記録再生装置１で生成した装置内部生成メタデータを、通信回線により接続されたサーバー等を介して、複数の放送番組記録再生装置１間で送受信するようにシステム構成しても良い。
【０１０３】
また、上記一覧３００，４００，５００，６００を、放送局から送信される番組情報を用いてさらに細分化しても良い。たとえば、放送局から送信される放送番組のジャンル情報を用いて、一覧３００，４００，５００，６００を細分化して表示しても良い。例として、本編再生用メタデータが関連付けられている記録済み放送番組のうち、アニメジャンルの記録済み放送番組のみを抽出し、当該抽出したもののみから成る一覧を表示するようにしても良い。
【０１０４】
また、装置内部生成メタデータを使用した特殊再生の方式や必要となる装置内部生成メタデータの生成方式については、本発明の範囲外であり、どのような方式を使用しても構わない。
【０１０５】
さらに、本実施の形態においては、記録部１０４の一例としてＨＤＤについて言及した。しかしながら、装置内蔵型の記録媒体であれば、半導体メモリ等を採用することもできる。
【符号の説明】
【０１０６】
１  放送番組記録再生装置、１００  アンテナ、１０１  チューナー、１０２  パーシャルストリーム生成部、１０３  ストリーム制御部、１０４  記録部、１０５  ストリームパーサー、１０６  ＡＶデコーダ、１０７  番組データ検出部、１０８  メタデータ生成部、１０９  管理情報生成部、１１０  グラフィックス生成部、１１１  映像音声出力部、１１２  表示部、１１３  スピーカ、２００  リモートコントローラ、２０１  録画リスト表示ボタン、２０２  本編再生ボタン、２０３  スポーツハイライト再生ボタン、２０４  音楽シーン再生ボタン、２０５  上下左右ボタン、２０６  再生操作ボタン、２０７  決定ボタン、２０８  操作ボタン、３００，４００，５００，６００  一覧、３０１，４０１，５０１，６０１  カーソル、３０２  本編再生メタデータ表示、３０３  スポーツハイライト再生メタデータ表示、３０４  音楽シーン再生メタデータ表示、３０５  プルダウンメニュー。
【図１】
2011023781.tif 000003
【図２】
2011023781.tif 000004
【図３】
2011023781.tif 000005
【図４】
2011023781.tif 000006
【図５】
2011023781.tif 000007
【図６】
2011023781.tif 000008